(57)【要約】【課題】赤外線センサを使用することなく、主走査方向及び副走査方向の原稿サイズ検知を効率的に行うことができるようにする。【解決手段】原稿を走査して原稿の画像データをライン毎に読み取る読み取り手段によって読み取られた画像データに基づいて原稿原稿サイズを検知する原稿サイズ検知装置において、前記読み取り手段によって読み取られた複数ラインの画像データを用いて原稿の主走査サイズと副走査サイズを判定する（Ｓ７，Ｓ８，Ｓ９）。判定に際し、主走査方向の画像データ取得範囲を任意に変更し、かつ画像データ取得の間隔を副走査方向に任意にかつ主走査方向とは独立して変更することができ、前記判定は読み取ったパッチ画像のデータを用いて行われる。【選択図】図５
2007028416.tif 000002
【特許請求の範囲】
【請求項１】
原稿を走査して原稿の画像データをライン毎に読み取る読み取り手段によって読み取られた画像データに基づいて原稿原稿サイズを検知する原稿サイズ検知装置において、
前記読み取り手段によって読み取られた複数ラインの画像データを用いて原稿の主走査サイズと副走査サイズを判定する手段を備えていることを特徴とする原稿サイズ検知装置。
【請求項２】
前記複数ラインの画像データ取得の間隔を副走査方向に任意に変更する手段を備えていることを特徴とする請求項１記載の原稿サイズ検知装置。
【請求項３】
前記画像データ取得の範囲を主走査方向に任意に変更する手段を備えていることを特徴とする請求項１又は２記載の原稿サイズ検知装置。
【請求項４】
主走査方向の画像データ取得範囲を任意に変更し、かつ画像データ取得の間隔を副走査方向に任意にかつ主走査方向とは独立して変更する手段を備えていることを特徴とする請求項１の原稿サイズ検知装置。
【請求項５】
前記画像がパッチ画像であり、前記判定する手段は読み取ったパッチ画像のデータを用いて前記サイズの判定を行うことを特徴とする請求項１ないし４のいずれか１項に記載の原稿サイズ検知装置。
【請求項６】
前記判定する手段は、パッチ画像の位置と黒白の状態から用紙サイズを判定することを特徴とする請求項５記載の原稿サイズ検知装置。
【請求項７】
請求項１ないし６のいずれか１項に記載の原稿サイズ検知装置を備えていることを特徴とする画像読み取り装置。
【請求項８】
請求項６記載の画像読み取り装置を備えていることを特徴とする画像形成装置。
【発明の詳細な説明】
【技術分野】
【０００１】
本発明は、原稿読み取り部で原稿サイズ検知を行う原稿サイズ検知装置、この原稿サイズ検知装置を備えた画像読み取り装置、及びこの画像読み取り装置を備えた画像形成装置に関する。
【背景技術】
【０００２】
従来原稿読み取り装置において、ブック読み取り時に原稿サイズを検知する方式として赤外線センサを用いていたが、近年コストダウンの一環として赤外線センサを用いずに、原稿読み取り用のラインセンサを用いて原稿サイズを検知する方式が用いられるようになってきている。
【０００３】
原稿読み取り用のラインセンサを用いた原稿サイズ検知方式に関する従来技術として例えば特許文献１ないし３に記載された発明が公知である。
【０００４】
このうち特許文献１記載の方式は、圧板開放時に原稿内は白、原稿外は黒であるとして主走査方向の原稿サイズを判断するものであるが、原稿内に黒が来てしまった場合、ラインセンサ読み取り位置を移動させ原稿内が白のラインにてサイズ検知を行うことを特徴としている。
【０００５】
また、特許文献２記載の方式は、圧板開放時に原稿内は白、原稿外は黒であるとして主走査方向の原稿サイズを判断する方式は特許文献１記載の発明と同じであるが、ランプが点いた場合とランプが消えた場合と２条件でデータを取り、外乱光の影響を除くことを特徴としている。
【０００６】
さらに、特許文献３記載の方式は、圧板開放時に原稿内は白、原稿外は黒であるとして主走査方向の原稿サイズを判断する方式は特許文献１記載の発明と同じであるが、主走査方向複数点でのラインセンサの読み取りデータを用いて主走査原稿サイズを検知することを特徴としている。
【特許文献１】特開平１０−２５７２５５号公報
【特許文献２】特開平２０００−１３８７９８号公報
【特許文献３】特開平２００３−１９８８０９号公報
【発明の開示】
【発明が解決しようとする課題】
【０００７】
前述の特許文献１ないし３記載の従来技術は全て、主走査方向のみの原稿サイズ検知を行い、副走査方向のサイズ検知は従来までの赤外線センサを用いている。さらなるコストダウンを目指すには副走査方向のサイズ検知用赤外線センサもなくすような方式が望ましい。
【０００８】
そこで、本発明の目的は、赤外線センサを使用することなく、主走査方向及び副走査方向の原稿サイズ検知を効率的に行うことができるようにすることにある。
【課題を解決するための手段】
【０００９】
そこで、本発明は、原稿一面分スキャン（プレスキャン）を行わず、主走査方向の原稿サイズ検知のシーケンスと同等のシーケンスで原稿全体のサイズ検知を実現し、原稿サイズ検知用のメモリ容量をできるだけ主走査方向原稿サイズ検知に必要な容量に近づけて、副走査方向の原稿サイズ検知も同時に行うことができるようにしたものである。
【００１０】
具体的には、第１の手段は、原稿を走査して原稿の画像データをライン毎に読み取る読み取り手段によって読み取られた画像データに基づいて原稿原稿サイズを検知する原稿サイズ検知装置において、前記読み取り手段によって読み取られた複数ラインの画像データを用いて原稿の主走査サイズと副走査サイズを判定する手段を備えていることを特徴とする。
【００１１】
第２の手段は、第１の手段において、前記複数ラインの画像データ取得の間隔を副走査方向に任意に変更する手段を備えていることを特徴とする。
【００１２】
第３の手段は、第１又は第２の手段において、前記画像データ取得の範囲を主走査方向に任意に変更する手段を備えていることを特徴とする。
【００１３】
第４の手段は、第１の手段において、主走査方向の画像データ取得範囲を任意に変更し、かつ画像データ取得の間隔を副走査方向に任意にかつ主走査方向とは独立に変更する手段を備えていることを特徴とする。
【００１４】
第５の手段は、第１ないし第４のいずれかの手段において、前記画像がパッチ画像であり、前記判定する手段は読み取ったパッチ画像のデータを用いて前記サイズの判定を行うことを特徴とする。
【００１５】
第６の手段は、第５の手段において、前記判定する手段は、パッチ画像の位置と黒白の状態から用紙サイズを判定することを特徴とする。
【００１６】
第７の手段は、第１ないし第６のいずれかの手段に係る原稿サイズ検知装置を画像読み取り装置が備えていることを特徴とする。
【００１７】
第８の手段は、第６の手段に係る画像読み取り装置を画像形成装置が備えていることを特徴とする。
【００１８】
なお、後述の実施形態では、判定する手段、任意に変更する手段、独立に変更する手段はＣＰＵ３４に対応し、ＣＰＵがメモリコントロールに対して図６ないし図８の信号を出力することにより領域の設定が行われる。原稿サイズの判定はＣＰＵ３５が図１０のフローチャートに沿って白黒判定を行い、その結果にしたがって図１１及び図１２に示したように判断する。
【発明の効果】
【００１９】
本発明によれば、複数ラインの画像データを用いるので、赤外線センサを使用することなく、主走査方向と副走査方向のサイズを同時に検知することできる。
【発明を実施するための最良の形態】
【００２０】
以下、本発明の実施形態について図面を参照して説明する。  
図１は本発明の実施形態に係る画像読み取り装置の概略構成を示す断面図である。この画像読み取り装置は、コンタクトガラス１、光源（照明ランプ）２、第１ないし第３ミラー３，４，５、レンズ８、及びＣＣＤ９から主に構成され、ランプ２及び第１ミラー３は第１キャリッジ６に、第２及び第３ミラーは第２キャリッジ７にそれぞれ搭載され、２対１の速度で副走査方向に移動する。このような構成では、原稿載置面として機能するコンタクトガラス１上に置いた原稿１０に対してランプ２により光を照射し、第１ミラー３、第２ミラー４、第３ミラー５によって反射させた光をレンズ８によって集光し、ＣＣＤ９上に結像する。ランプ２及び第１ミラー３が距離Ｌだけ進む間に第２ミラー４、第３ミラー５は距離Ｌ／２だけ進む。これにより光学系の光路長を一定に保ち、原稿全体を走査することができる。
【００２１】
図２は、図１の画像読み取り装置の機械構成を示す斜視図である。ランプ２と第１ミラー３を備えた第１キャリッジ６は駆動ワイヤ１１に取り付けられ，第２ミラー４、第３ミラー５を備えた第２キャリッジ７はプーリ１２に駆動ワイヤ１１が巻きつけられる。駆動軸１４に繋がれたワイヤプーリ１５に駆動ワイヤ１１を巻きつけ、タイミングプーリ１６とタイミングベルト１７によって、モータ１８の駆動を駆動ワイヤ１１に伝達する。第１キャリッジ６の一端がホームポジションセンサ１３を横切ってからある一定距離をリターンさせた位置をホームポジションとする。
【００２２】
図３は本実施形態に係る画像読み取り装置を備えた画像形成装置としての複写機の一連のコピー動作を実行する部分の電気的構成を示すにおけるブロック図である。複写機は、画像読み取り装置としてのスキャナ３１、画像出力装置としてのプリンタ３３、読み取った画像の画像データを可視画像に変換するための画像処理を行うＩＰＵ（イメージプロセッシングユニット）３２、画像形成装置全体の制御を司るＣＰＵ３４、ＣＰＵ３４で処理するためのデータが格納されるＲＡＭ３６、及びＣＰＵ３４に対してモード設定や枚数指定などのユーザ指示情報をユーザが入力し、また、ＣＰＵ３４から種々の情報が表示される操作部３５から基本的に構成されている。操作部３５はユーザと複写機とのインターフェースと言うべきもので、ＣＰＵ３５ａと表示部３５ｂを備えている。
【００２３】
このような構成の複写機では、スキャナ３１に原稿をセットして操作部３５のスタートキーを押下すると、スキャナ３１にて原稿読み取り、ＩＰＵ３２内で一連の画像処理を行い、プリンタ３３に画像データを出力し、紙排出が行われる。スキャナ３１、ＩＰＵ３２、プリンタ３３内の必要なパラメータはＣＰＵ３４の持つＲＡＭ３６内に保持されており、ＣＰＵ３４により各デバイスに設定が行われる。またパラメータ設定に必要なモード情報は操作部３５からユーザが指定でき、操作部３５内のＣＰＵ３５ａとＣＰＵ３４とが通信を行うことによって情報の交換が行われる。
【００２４】
図４はＩＰＵ３２内の詳細を示すブロック図である。ＩＰＵ３２では、スキャナ３１から受け取った原稿読み取りデータに対し、所望の画像処理を実施するが、原稿サイズ検知動作を行う場合、画像処理モジュール３２ａに接続された複数ラインメモリ３２ｂに前記原稿読み取りデータを蓄える。また、複数ラインメモリ３２ｂを制御するメモリコントロール３２ｃを併せ持ち、ＣＰＵ３４から複数ラインメモリ３２ｂに機構されたデータのリード／ライトが可能となっている。
【００２５】
図５は本実施形態における原稿サイズ検知動作シーケンスを示すフローチャートである。  
同図において、キャリッジ６，７が原稿サイズ検知位置に載置され、かつ原稿をコンタクトガラス１面に押し付ける圧板が閉められたことを検知、もしくはユーザが原稿の読み取りを開始した時点で原稿サイズ検知動作が開始される（ステップＳ１）。圧板の開閉は、ＤＦ開閉センサのＯＮ／ＯＦＦによって検知する。原稿サイズ検知が開始されると、まず、原稿サイズ検知のために必要な準備を行う（ステップＳ２）。ステップＳ２では、図７及び図８に示すような原稿サイズ検知のための原稿読み取りタイミングの設定、及び必要に応じてシェーディング補正に必要な準備設定を実行する。なお、前記準備にはシェーディング補正等も含まれるが、これらの補正は本発明の原稿サイズ検知処理に関係しないので説明は省略する。また前記準備動作及び光源ランプの点灯動作は、特段の順序規定はなく並行処理でも良い。
【００２６】
ステップＳ２で準備が完了すると、原稿読み取りのために原稿の照射を開始する（ステップＳ３）。ステップＳ１０３では、ランプ点灯を実行する。なお、図５のフローチャートでは、ステップＳ２、Ｓ３は順次処理するような記載となっているが、特に順序の規定はなく、並行処理することも可能である。ステップＳ２及びＳ３の処理が完了した時点で原稿の読み取りを実行する（ステップＳ４）。この原稿の読み取り処理では、原稿サイズ用のライトイネーブル信号を発生し、ライトイネーブル信号の有効期間内に原稿の読み取りを行って処理を終了する。
【００２７】
ステップＳ４では、原稿サイズ用のライト信号を発生し、ライト信号の有効期間内の画像データ読み取りを行って処理を終了する。このとき、キャリッジ６，７を移動させて原稿を走査しながら読み取りを実行するか、もしくはキャリッジ６を原稿サイズ検知位置に停止させたまま読み取りを実行し、２ライン以上の読み取り画像データを取得しても良い。キャリッジ６，７を移動させて原稿を走査しながら読み取りを実行する場合には、原稿上の異なる位置の画像を読み取ることが可能であり、原稿上の画像データの内容によって原稿サイズの誤検知を招くことを防止するとともに読み取りと同時に並行してキャリッジを本来の原稿読み取り（本スキャン）位置へ移動させるため、原稿サイズ検知後の本スキャン開始までの時間を短縮することができる。一方、キャリッジ６を原稿サイズ検知位置に停止させたまま読み取れば、原稿台に対する外光の影響や原稿照射用ランプの点灯状態の変化を画像データの内容から明確に検出することが可能になるという利点もある（キャリッジを移動させる場合でも検出は不可能ではない）。
【００２８】
ステップＳ４で原稿の読み取りが完了したら、原稿の照射を終了する（ステップＳ５）。ただし、サイズ検知のための原稿読み取りが完了した直後に本スキャンを開始するような場合には、ステップＳ５の処理を実行せず原稿照射用のランプを点灯したままにする場合もあり得るが、ここでは、その判断処理は行わないものとする。また、ステップＳ５の処理は以下に説明するステップＳ６の処理との間で順序の規定はなく、並行処理することも可能である。
【００２９】
ステップＳ４の処理が完了した時点で、原稿サイズを解析するために読み取った原稿画像データの取り出しを行う（ステップ６）。読み取った原稿画像データの取り出しは、ＣＰＵ３４から複数ラインメモリ３２ｂに保存されたデータを読み出すことで行われる。原稿画像データの取得は、複数のパッチ画像の取得として行われる。パッチ画像の取得は図６ないし図９を参照して後述する。次いで、ステップＳ６で取り出した画像データを解析し、原稿サイズの判定を行う（ステップＳ７）。原稿サイズの判定は、取り出したパッチ画像の解析（白黒判定）に基づいて行われる。ステップＳ７で原稿サイズの判定が成功した場合には、ステップＳ８で原稿サイズを決定する。原稿サイズの決定とは具体的にはＣＰＵ３４に接続されたプログラム実行用のメモリ３６（ＲＡＭ）に原稿サイズ情報を保存しておくことであり、以降は必要に応じて決定した原稿サイズ情報を読み出して利用する。
【００３０】
原稿サイズが決定された後は、原稿サイズ検知動作を完了する（ステップＳ９）。一方、ステップＳ７で、原稿サイズの判定に失敗した場合には、原稿サイズを決定せず、原稿サイズ検知動作を完了する（ステップＳ９）。原稿サイズの判定が失敗する例としては、真黒な原稿であったり、原稿台に対する外光の影響や原稿照射用のランプの点灯状態（ランプをＯＮしたが光量が安定していない状態で読み取りを実行する等）によって、読み取りデータから原稿のサイズを判定することができない場合が考えられる。
【００３１】
以上が本実施形態における原稿サイズ検知動作の基本シーケンスである。なお、本発明の特徴は特にステップＳ７における原稿画像データの解析（原稿サイズの判定）にあり、この解析は、パッチ画像を解析することにより行われる。
【００３２】
図６は、メモリコントロール３２ｃの一例を示す図である。メモリコントロール２２ｃは、画像処理モジュール３２ａからラインセンサによる読み取り１ラインの基準となる信号（ＸＬＳＹＮＣ）、及びラインセンサの読み取り開始トリガを示す信号（ＸＦＳＹＮＣ）、並びに画素クロック信号（ＰＣＬＫ）を受け取る。また、ＣＰＵ３４によりメモリライト領域を示す主走査スタート、主走査幅、及び、副走査スタート、副走査幅の４つのパラメータを受け取る。これらのパラメータに基づいてライン基準信号（ＸＬＳＹＮＣ）、及び読み取り開始トリガ信号（ＸＦＳＹＮＣ）からメモリのライト位置を確定し、ライトリセット信号（ＸＷＲＳＴ）及びライトイネーブル信号（ＸＷＥ）として複数ラインメモリ３２ｂに渡す。前記パラメータは、想定される原稿サイズにより対応して異なった種類のものが用意されている。
【００３３】
図７は、副走査方向の１ライン基準信号（ＸＬＳＹＮＣ）、読み取り開始トリガ信号（ＸＦＳＹＮＣ）、ライトリセット信号（ＸＷＲＳＴ）及びライトイネーブル信号（ＸＷＥ）のタイミングを示す図である。図７のライトイネーブル信号（ＸＷＥ）において、ライトリセット信号（ＸＷＲＳＴ）によりライトをリセットし、読み取り開始トリガを示す信号（ＸＦＳＹＮＣ）によりライトイネーブル信号（ＸＷＥ）の副スタート１の副走査期間内で画像データの書き込みを行う。この走査領域は全ての検知対象原稿が原稿内に入る領域である。副スタート１の副走査期間後、所定の副走査幅を飛ばして副スタート２の副走査期間内で書き込みを行う。この走査領域は原稿により原稿の内・外が切り替わる領域である。
【００３４】
図８は、主走査方向の１ライン基準信号（ＸＬＳＹＮＣ）、画素クロック信号（ＰＣＬＫ）、ライトリセット信号（ＸＷＲＳＴ）及びライトイネーブル信号（ＸＷＥ）のタイミングを示す図である。図８に示すライトイネーブル信号（ＸＷＥ）においても、図７のライトイネーブル信号（ＸＷＥ）と同じようにして主スタート１及び主スタート２の主走査期間内で書き込みを行う。前記ライトイネーブル信号（ＸＷＥ）により複数ラインメモリ３２ｂの書き込みが制御される結果、２次元方向のパッチ画像（複数）を同時にメモリに書き込むことができる、つまりパッチ画像を取得することができる。斜線部がメモリ書き込み領域を示す。
【００３５】
図１０は図５のフローチャートにおけるステップＳ６の画像データを取り出す処理、言い換えればデータ解析処理（白黒判定）の処理手順を示すフローチャートである。この処理では、図９に示すパッチデータを複数ラインメモリ３２ａから１パッチずつＣＰＵ３４の持つＲＡＭ３６に読み出し、１パッチの平均値を求め２値化を行うことによってパッチの白黒判定を行っている。
【００３６】
まず、この処理がスタートすると、図９に示したパッチデータを複数ラインメモリ２２ｂから１パッチずつＣＰＵ３４の持つＲＡＭ２５に読み出し（ステップＳ１１）、処理を開始する。続いて、読み出す１パッチ内の画素数Ｎを設定し（ステップＳ１２）、複数ラインメモリ３２ｂから１画素単位でリードを行い（ステップＳ１３，１４）、これを設定した画素数Ｎに達するまで実行する（ステップＳ１５）。設定された１パッチ内のＮ個の画素が読み出されたとき、読み出された画素数の平均濃度値を求め２値化する（ステップＳ１６）。次に２値化されたパッチ画像の濃度値が基準濃度値を超えるか否かを判断し（ステップＳ１７）、超えた場合においては濃度は小であるので当該パッチ画像は白と判断し、超えていない場合においては濃度は大であるので黒と判断し（ステップＳ１８，１９）、この処理を終了する（ステップＳ２０）。
【００３７】
なお、平均値を求める処理としてステップＳ１５では、Ｎ画素全加算の後全平均としているが、このステップＳ１５に代えて、例えば主走査方向だけの加算を行い１ラインでの平均を求め、その後次のラインの加算と平均を繰り返し、最終判定を行う方式でも良い。
【００３８】
また、図５のフローチャートにおけるステップＳ７の画像データを解析する判定は、以下のようにして行われる。  
図１１は図９のパッチの領域と用紙サイズとの関係を示し、図１２はパッチの領域の位置関係を示す。読み取りパッチとして図１２に示すようにＳＥＮ１１、ＳＥＮ１２、ＳＥＮ２１、ＳＥＮ２２を用いる。本実施形態で検知する原稿サイズをＡ３、Ａ４ヨコ、Ａ４タテ、それ以外とする。図１０のステップＳ２０で各読み取りパッチの白／黒が決定する。決定した白／黒により図１１の表から原稿サイズを決定する。すなわち、ＳＥＮ１１、ＳＥＮ１２、ＳＥＮ２１、ＳＥＮ２２、全て白だった場合、４つの読み取り位置に全て原稿があると判断し、原稿がＡ３サイズであると決定する。ＳＥＮ１１とＳＥＮ１２が白で、ＳＥＮ２１とＳＥＮ２２が黒だった場合、副走査方向の後ろ側に原稿がないと判断し、原稿がＡ４ヨコであると決定する。ＳＥＮ１１とＳＥＮ２１が白で、ＳＥＮ１２とＳＥＮ２２が黒だった場合、今度は主走査方向の後ろ側に原稿がないと判断し、原稿がＡ４タテであると決定する。ＳＥＮ１１、ＳＥＮ１２、ＳＥＮ２１、ＳＥＮ２２、全て黒だった場合、４つの読み取り位置に全て原稿がないと判断し、Ａ４より小さいサイズ、あるいは原稿なしと決定する。上記４つのパターンのどれにも当てはまらない場合は、どこかで検知エラーがあったと判断し、原稿サイズが検知されなかったことを知らせることとなる。
【００３９】
図１３は本実施形態に係るディジタル複写機の一例を示す概略構成図である。同図において、ディジタル複写機はモノクロ画像形成用のもので本体４００と、画像形成装置本体４００の上部の設置された画像読み取り装置５００と、さらにその上に装着された自動原稿給送装置（以下、「ＡＤＦ」と称す）５５０と、画像形成装置本体４００の同図において右側に配置された大容量給紙装置７００と、画像形成装置本体４００の同図において左側に配置された用紙後処理装置８００とから基本的に構成されている。
【００４０】
画像形成装置本体４００は画像書き込み部４１０と、作像部４２０と、定着部４３０と、両面搬送部４４０と、給紙部４５０と、垂直搬送部４６０と、手差し部４７０とからなる。
【００４１】
画像書き込み部４１０は画像読み取り装置５００で読み取った原稿の画像情報に基づいて発光源であるＬＤを変調し、ポリゴンミラー、ｆθレンズなどの走査光学系により感光体ドラム４２１にレーザ書き込みを行うものである。作像部４２０は感光体ドラム４２１と、この感光体ドラム４２１の外周に沿って設けられた現像ユニット４２２、転写ユニット４２３、クリーニングユニット４２４及び除電ユニットなどの公知の電子写真方式の作像要素とからなる。
【００４２】
定着部４３０は前記転写ユニット４２３で転写された画像を転写紙に定着する。両面搬送部４４０は定着部４２０の転写紙搬送方向下流側に設けられ、転写紙の搬送方向を用紙後処理装置８００側、あるいは両面搬送部４４０側に切り換える第１の切換爪４４１と、第１の切換爪４４１によって導かれた反転搬送路４４２と、反転搬送路４４２で反転した転写紙を再度転写ユニット４２３側に搬送する画像形成側搬送路４４３と、反転した転写紙を用紙後処理装置８００側に搬送する後処理側搬送路４４４とを含み、画像形成側搬送路４４３と後処理側搬送路４４４との分岐部には第２の切換爪４４５が配されている。
【００４３】
給紙部４５０は４段の給紙段からなり、それぞれピックアップローラ、給紙ローラによって選択された給紙段に収納された転写紙が引き出され、垂直搬送部４６０に導かれる。垂直搬送部４６０では、各給紙段から送り込まれた転写紙を転写ユニット４２３の用紙搬送方向上流側直前のレジストローラ４６１まで搬送し、レジストローラ４６１では、感光体ドラム４２１上の顕像の画像先端とタイミングを取って転写紙を転写ユニット４２３に送り込む。手差し部４７０は開閉自在な手差しトレイ４７１を備え、必要に応じて手差しトレイ４７１を開いて転写紙を手差しにより供給する。この場合もレジストローラ４６１で転写紙の搬送タイミングが取られ、搬送される。
【００４４】
大容量給紙装置７００は同一サイズの転写紙を大量にスタックして供給するもので、転写紙が消費されるにしたがって底板７０２が上昇し、常にピックアップローラ７０１から用紙のピックアップが可能に構成されている。ピックアップローラ７０１から給紙される転写紙は、垂直搬送部４６０からレジストローラ４６１のニップまで搬送される。
【００４５】
用紙後処理装置８００はパンチ、整合、ステイプル、仕分けなどの所定の処理を行うもので、この実施形態では、前記機能のためにパンチ８０１、ステイプルトレイ（整合）８０２、ステイプラ８０３、シフトトレイ８０４を備えている。すなわち、画像形成装置４００から用紙後処理装置８００に搬入された転写紙は、孔明けを行う場合にはパンチ８０１で１枚ずつ孔明けが行われ、その後、特に処理するものがなければ、プルーフトレイ８０５へ、ソート、スタック、仕分けを行う場合にはシフトトレイ８０４にそれぞれ排紙される。仕分けは、この実施形態は、シフトトレイ８０４が用紙搬送方向に直交する方向に所定量往復動することにより行われる。このほかに、用紙搬送路で用紙を用紙搬送方向と直交する方向に移動させて仕分けを行うこともできる。
【００４６】
整合する場合には、孔明けが行われた、あるいは孔明けが行われていない転写紙が下搬送路８０６に導かれ、ステイプルトレイ８０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ８０３によって綴じられ、放出ベルトによってシフトトレイ８０４に排紙される。また、この実施形態では、下搬送路８０６にはプレスタック搬送路８０７が設けられ、搬送時に複数枚の用紙をスタックし、後処理中の画像形成装置本体４００側の画像形成動作の中断を避けることができるようになっている。
【００４７】
画像読み取り装置５００は、ＡＤＦ６００によってコンタクトガラス５１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部４１０によって記憶装置から読み出され、画像データに応じて変調し、光書き込みが行われる。
【００４８】
ＡＤＦ５５０は両面読み取り機能を有するもので、画像読み取り装置５００のコンタクトガラス５１０設置面に開閉自在に取り付けられている。このＡＤＦ５５０では、原稿載置台５５１に載置された原稿が原稿読み取り時に自動的にコンタクトガラス５１０上に送り出される。
【００４９】
以上のように本実施形態によれば、
１）複数ラインの画像データを用いるので、赤外線センサを使用することなく、主走査方向と副走査方向のサイズを同時に検知することできる。  
２）画像データ取得の間隔を副走査方向に任意に変更できるので、副走査方向のサイズ検知の種類を任意に選択することが可能となる。  
３）画像データ取得の間隔を主走査方向に任意に変更できるので、主走査方向のサイズ検知の種類を任意に選択することが可能となる。  
４）画像データ取得の間隔を主走査方向と副走査方向とで独立に設定することができるので、必要な部分のみのデータを利用することが可能となり、メモリ容量が節約できる。また、定形サイズのみならずユーザ指定の特定サイズの検知が可能となる。  
等の効果を奏する。
【図面の簡単な説明】
【００５０】
【図１】本発明の実施形態に係る画像読み取り装置の概略構成を示す断面図である。
【図２】本発明の実施形態に係る画像読み取り装置の機械構成を示す斜視図である。
【図３】図１に示した画像読み取り装置を備えたディジタル複写機の電気的構成を示すブロック図である。
【図４】図３におけるＩＰＵ内の詳細を示すブロック図である。
【図５】本発明の実施形態におけるラインセンサ読み取りにおける原稿サイズ検知の処理手順を示すフローチャートである。
【図６】図４におけるＩＰＵ内のメモリコントロール信号の入出力状態を示すブロック図である。
【図７】図６におけるメモリコントロールの副走査方向の入出力信号のタイミングを示すタイミングチャートである。
【図８】図６におけるメモリコントロールの主走査方向の入出力信号のタイミングを示すタイミングチャートである。
【図９】本発明におけるパッチ読み取りの一例を示す図である。
【図１０】本発明における白黒判定の処理手順を示すフローチャートである。
【図１１】本発明におけるサイズ検知決定の一例を表形式で示す図である。
【図１２】本発明におけるサイズ検知判定用パッチ読み取り位置の一例を示す図である。
【図１３】図３のディジタル複写機の機械的構成の一例を示す概略構成図である。
【符号の説明】
【００５１】
１  コンタクトガラス
２  ランプ
３，４，５  ミラー
６，７  キャリッジ
８  レンズ
９  ＣＣＤ
３１  スキャナ
３２  ＩＰＵ
３２ａ  画像処理モジュール
３２ｂ  複数ラインメモリ
３２ｃ  メモリコントロール
３３  プリンタ
３４  ＣＰＵ
３６  メモリ（ＲＡＭ）
【図１】
2007028416.tif 000003
【図２】
2007028416.tif 000004
【図３】
2007028416.tif 000005
【図４】
2007028416.tif 000006
【図５】
2007028416.tif 000007
【図６】
2007028416.tif 000008
【図７】
2007028416.tif 000009
【図８】
2007028416.tif 000010
【図９】
2007028416.tif 000011
【図１０】
2007028416.tif 000012
【図１１】
2007028416.tif 000013
【図１２】
2007028416.tif 000014
【図１３】
2007028416.tif 000015